(57)【要約】【課題】  板状の被梱包物の梱包に使用でき、嵩張らず、折り畳み可能で、リユース、リサイクルに好適なプラスチック製梱包材を提供することを目的とする。【解決手段】  板状の被梱包物の端部部分に使用され射出成形された端部周縁梱包材は、折り曲げ可能に、折り畳み可能に形成され、使用時は被梱包物の端部を覆い包むように使用され、全体を格安の熱収縮フィルム等にて梱包される。開梱時は折り畳み重ねられ保管されるプラスチック製梱包材を提供する。【選択図】図１
2007126203.tif 000002
【特許請求の範囲】
【請求項１】
板状の被梱包物の相対する周縁部端部を覆うように折り曲げ可能であってその折り曲げ状態において梱包に使用され、非使用時には折り曲げ状態が解除されることで複数個のものが積層可能であるプラスチック製梱包材。
【請求項２】
折り畳み可能であってその折り畳みが開かれた状態において、相対する被梱包物端部に沿うように装着使用されて梱包に使用され、非使用時には折り畳み状態とされることでコンパクトに折り畳むことができるプラスチック製梱包装置。
【請求項３】
前記一対のコの字状周縁部端部梱包材で梱包された板状の被梱包物の中央部分を熱収縮フィルム等、安価なフィルムで梱包できる梱包装置。
【発明の詳細な説明】
【技術分野】
【０００１】この発明は、住宅機器、建材等の梱包に使用される梱包装置に関する。
【背景技術】
【０００２】現在建材等の長尺物等の梱包はダンボールを使用して行うのが主流であり、このダンボールは基本的に使い捨てであり、資源の有効利用の観点において好ましくない。これに対して最近ではリユースが可能なプラスチック製の梱包材も提供されている。この梱包材は建材等の周縁部全周を梱包しており、折り畳み回収、保管されていた。
【発明の開示】
【０００３】プラスチック製の建材等の梱包材は流通過程において、一番傷みやすい端部も、比較的に痛みの少ない中央部分も同じ仕様で梱包されており、繰り返し回収、保管、再利用する際の保管スペースをより小さくする観点からも、経済的な観点からも、よりきめの細かい部位ごとの仕様設計が必要である。
【発明が解決しようとする課題】
【０００４】この発明では、流通過程において、一番傷みやすい端部と比較的傷みの少ない中央部分との梱包仕様をわけて設計し、繰り返し再利用する端部部分梱包材を小さくし、中央部分は簡易な梱包とし、より安価なプラスチック製梱包材を提供することを目的とする。
【問題を解決するための手段】
【０００５】請求項１の発明では、折り曲げ可能であってその折り曲げ状態において被梱包物端部の周縁に沿うように一対が片側よりコの字状に装着されて梱包に使用され、また別の一対が相対する側にコの字状に装着されて梱包に使用され、非使用時には折り曲げ状態が解除されることで複数個のものが積層可能であるコの字状プラスチック製梱包材を提供する。
【０００６】請求項２の発明によれば、折り畳み可能であってその折り畳みが開かれた状態において、被梱包物端部の周縁に沿うように、二対のコの字状プラスチック製梱包材が装着されて、梱包に使用され、非使用時には折り畳み状態とされることで複数個のものが積層可能であるコの字状プラスチック製梱包材を提供する。
【０００７】請求項３の発明によれば、中央部分を別の安価なフィルムで梱包することにより、トータルで非常に経済的なリユース使用に好適なプラスチック製梱包装置を提供する。
【０００８】梱包材成形のためのプラスチック材料としては適宜なものが使用可能であるが、折り曲げや折り畳みを繰り返し行う際に破損することがないように耐屈曲性に優れるものを用いることが好ましく、たとえば、ポリプロピレン樹脂や高密度ポリエチレン樹脂それに塩ビ樹脂等を用いる。
【発明の効果】
【０００９】この発明によれば、梱包を開いた後の取り扱いや保管に手間のかかることのない小さく経済的でリユース使用に好適なプラスチック製の梱包材が得られるようになる。
【発明を実施するための最良の形態】
【０００１０】図１は、請求項１の発明における長尺物カウンターを梱包する梱包材１の実施形態の平面図、図２−１は図１のＡ−Ａ断面図、図２−２はＡ−Ａ断面部分を折り曲げ溝２部分で中央板８に対して折り曲げ辺５を９０度折り曲げた状態図、図２−３は図１の断面Ｂ−Ｂでの折り曲げ状態図、梱包材１はプラスチック製で全長が約６２０ｍｍ、高さが約１８０ｍｍで射出成型等にて製造され、建材の梱包に使用されるものである。梱包材１の内外面側にはその長手方向に沿って平行に２本の幅広溝が形成されるとともに、２箇所においてその折り曲げ溝２に対して直交するように２本の折り曲げ溝３が形成されている。これら折り曲げ溝２，３それぞれが設けられていることで、梱包材１は長手方向の２箇所で折り曲げ可能であるとともに、その折り曲げ状態において両側縁部が相対するように折り曲げ可能に構成されている。この巾広溝で建材の厚み違いによる多少の高さ調整ができる。また、折り曲げ溝３の形成位置の両端位置上下には９０度強の切り欠き４が形成されており、建材の長辺側で折り曲げられる折り曲げ片６と、短辺側で折り曲げられる折り曲げ辺５とが、その先端部分で重なり、長辺側が短辺側を押さえ込むように、板厚の半分の厚みにて段差７がお互いに裏表逆に形成されている。【００１１】図３−１は梱包材１が折り畳まれた状態図、図３−２は折り畳み状態を解除した状態図、１組２枚で建材の１坪を梱包することができる。図４−１は折り曲げ辺を９０度に折り曲げた状態図で建材の両端部分に装着使用される。図４−２は角の丸印部分の拡大図で長辺側６の裏段差７が短辺側５の表段差７を重なり部分９にて押さえ込んでいる状態を示している。このように形成されているために長辺側と短辺側とが重ねられた部分も板厚は均一となり、梱包材を複数個、積層保管するときも、荷重は均一となる。【００１２】図５−１は梱包材１を建材１坪１０に装着した状態図で、建材１０の中央部分はエアーキャップや熱収縮ポリエチレンフィルム１１で梱包される。図５−２は前記のように梱包されたものを、梱包材１を押さえるようにＰＰバンド１２にて緊締した状態図である。
【図面の簡単な説明】
【００１３】
【図１】  請求項１の発明の実施形態における梱包材の平面図
【図２】  請求項１の発明の実施形態における梱包材の断面図
【図３−１】  請求項２の発明の実施形態における梱包材の折り畳み図
【図３−２】  請求項２の発明の実施形態における梱包材の折り畳み解除斜視図
【図４−１】  請求項１の発明の実施形態における梱包材の折り曲げ状態図
【図４−２】  請求項１の発明の実施形態における梱包材の角部分拡大斜視図
【図５−１】  請求項１の発明の実施形態における梱包材の装着状態斜視図
【図５−２】  請求項３の発明の実施形態における梱包材の装着状態斜視図
【符号の説明】
【００１４】１    端部周縁梱包材
２    長手方向折り曲げ溝
３    直交折り曲げ溝
４    切り欠き
５    短辺側周縁折り曲げ辺
６    長辺側周縁折り曲げ辺
７    先端部段差
１０  １坪建材
１１  熱収縮ポリエチレンフィルム
１２  ＰＰバンド
【図１】
2007126203.tif 000003
【図２−１】
2007126203.tif 000004
【図２−２】
2007126203.tif 000005
【図２−３】
2007126203.tif 000006
【図３−１】
2007126203.tif 000007
【図３−２】
2007126203.tif 000008
【図４−１】
2007126203.tif 000009
【図４−２】
2007126203.tif 000010
【図５−１】
2007126203.tif 000011
【図５−２】
2007126203.tif 000012